(57)【要約】【課題】保冷剤を内部に入れた，ネッククーラーを首に巻いて，外部の袋から内部の袋を引き抜  いて，簡単に花模様で飾る事が出来る花模様が出来るネッククールを提供する。【解決手段】保冷剤が中に入ったネッククーラーを使用して体温調整をする事が出来る事と，内部の布を引くだけで綺麗な花模様で自分の体を飾る事が出来ることを特徴とする。【選択図】図１
2015016157.tif 000002
【特許請求の範囲】
【請求項１】
ネッククーラーの外袋（Ａ）の一方の先端を（Ａ−６）として，他方の先端（Ａ−７）とネッククーラー本体（Ｂ）の他方の先端（Ｂ−５）を縫い付けて固定して，ネッククーラーの外袋（Ａ）の一方の先端（Ａ−６）には，ネッククーラー本体（Ｂ）を出し入れするための開口部として，ネッククーラー本体（Ｂ）の一方の長辺（Ｂ−１）は，保冷剤を出し入れするための開口部とし，細長い保冷剤（Ｂ−３）をネッククーラー（Ｂ−１）に入れた後は，数か所を保冷剤を押さえるホック（Ｂ−４）で閉じる構造にして，ネッククーラーとして使用するときは，ネッククーラー外袋（Ａ）からネッククーラー本体（Ｂ）を引き出すが，その時外袋（Ａ）の一方の短辺開口部（Ａ−６）周辺を片方の指先で押さえながら，ネッククール本体（Ｂ）の一方の先端（Ｂ−６）を，もう一方の手の指でつかんで引き出すと，ネッククーラーの外袋（Ａ）は縮んで花模様になる構造にし，ネッククーラーの外袋（Ａ）の一方の長辺の縫い目（Ａ-３）と他方の長辺の縫い目（Ａ-４）は，それぞれ長辺に沿って，不均等の間隔でチグハグにところどころ糸で強く縫い止めして固定している為に，ネッククーラー外袋（Ａ）からネッククーラー本体（Ｂ）を引き出すと外袋が変形して縮み，花模様（Ａ-２）となる構造の花模様が出来るネッククーラー。
【発明の詳細な説明】
【技術分野】
【０００１】
本発明は，首を冷やしながら胸に花模様を簡単に作れるネッククーラーに関する。
【背景技術】
【０００２】
従来熱中症対策として保冷剤を用いて首を冷やすためのネッククールがあり、それをクールマフラーとしておしゃれと実用をかねたものはあった。また布を縫い縮めて形をつくる製法も多々あり特許文献１のように、使用後の傘袋を側面に設けた紐保持部内の紐を引くことによりコサージュを作り、バッグなどに取り付けるものはあるが、本発明のような縫い方でコサージュを作り、おしゃれを楽しみつつ首元を冷やすネッククーラーは見当たらない。
【先行技術文献】
【特許文献】
【０００３】
【特許文献１】特許４６３３３９７
【発明の概要】
【発明が解決しようとする課題】
【０００４】
従来，ネッククーラーを買ってきて首に巻く事は出来るが，殺風景でなかなか思うように首を冷やし，且つ可愛らしく見せることは出来ず，何とかしなければならない課題である。
【課題を解決するための手段】
【０００５】
課題を解決するため以下の構成とした。
暑い時に使用するために，ネッククーラーの外袋（Ａ）の一方の先端（Ａ−６）として，他方の先端（Ａ−７）とネックククーラー本体（Ｂ）の他方の先端（Ｂ−５）とを縫い付けて固定している。
ネッククーラーの外袋（Ａ）の一方の先端（Ａ−６）には，ネッククーラー本体（Ｂ）を出し入れするため開口部とした。ネッククーラー本体（Ｂ）の一方の長辺（Ｂ−１）は，保冷剤を出し入れするための開口部として，細長い保冷剤（Ｂ−３）をネッククーラー（Ｂ）に入れた後は，数か所を保冷剤を押さえるホック（Ｂ−４）で閉じる構造にした。ネッククーラーとして使用するときは，ネッククーラー外袋（Ａ）からネッククーラー本体（Ｂ）を引き出すが，その時外袋（Ａ）の一方の短辺開口部（Ａ−６）周辺を片方の指先で押さえながら，ネッククーラー本体（Ｂ）の一方の先端（Ｂ−６）をもう一方の手の指でつかんで引き出すと，ネッククーラーの外袋（Ａ）は縮んで花模様になる構造にした。
ネッククーラーの外袋（Ａ）に、互い違いに台形を配し、それぞれの頂点を2針の返し縫いで縫い止めする。
【０００６】
ただ外袋から内部の布を引き出すだけで短時間で花模様にする事が出来る理由を下記に記載する。
ネッククールの外袋（Ａ）の一方の長辺の縫い目（Ａ-３）と他方の長辺の縫い目（Ａ-４）は，それぞれ長辺に沿って，一方の長辺（３）と他方の長辺（４）を不均等の間隔でチグハグにところどころ糸で裏表を強く縫って固定している為に，ネッククーラー外袋（Ａ）からネッククーラー本体（Ｂ）を引き出すと外袋が変形して縮み，花模様（Ａ-２）となる。
【発明の効果】
【０００７】
本発明は，下記の効果を有する。
1． ネッククーラーで首を冷やす事が容易に出来る。
２．中の布をただ引っ張っただけで胸に花模様の付いたネッククーラーを使用出来る。
３．冷たさの満足と綺麗さの満足両方が楽しめる。
【図面の簡単な説明】
【０００８】
【図１】ネッククーラーに花模様を作って首に掛ける状態の平面図
【図２】ネッククーラーの上袋平面図
【図３】ネッククーラーの上袋からネッククーラーを半分出した状態の説明図
【図４】ネッククーラーの上袋からネッククーラーを全部出して上袋で花模様を作った説明図
【図５】保冷剤と保冷剤の入れる開口部の説明図
【図６】ネッククーラーの上袋の左右の縫い目の説明図
【図７】ネッククーラーの裏表についているホックの説明図
【発明を実施するための形態】
【０００９】
以下，本発明を実施するための最良の形態について説明する。
ネッククールの外袋（Ａ）の他方の先端（Ａ−７）とネッククーラー本体（Ｂ）の他方の先端（Ｂ−５）を縫い付けて固定した。
ネッククーラーの外袋（Ａ）の一方の先端（Ａ−６）には，ネッククーラー本体（Ｂ）を出し入れするため開口部とした。
ネッククーラー本体（Ｂ）の一方の長辺（Ｂ−１）は，保冷剤を出し入れするための開口部として，細長い保冷剤（Ｂ−３）をネッククーラー本体（Ｂ）に入れた後は，数か所に保冷剤を押さえるホック（Ｂ−４）で閉じる構造にした。ネッククーラーとして使用するときは，ネッククーラー外袋（Ａ）からネッククーラー本体（Ｂ）を引き出すが，その時外袋（Ａ）の一方の先端開口部（Ａ−６）の周辺を片方の手の指で押さえながら，ネッククーラー本体（Ｂ）の一方の先端（Ｂ−６）をもう一方の手の指でつかんで引き出すと，ネッククーラーの外袋（Ａ）は縮んで花模様になる構造にした。
ネッククーラーの外袋（Ａ）に、互い違いに台形を配し、それぞれの頂点を2針の返し縫いで縫い止めする。
外袋から内部の布を引き出すだけで短時間で花模様にする事が出来る理由は，ネッククーラーの外袋（Ａ）の一方の長辺の縫い目（Ａ-３）とその他の長辺の縫い目（Ａ-４）は，それぞれ長辺に沿って，一方の長辺（３）と他方の長辺（４）を不均等の間隔でチグハグにところどころ糸で強く縫って固定している為に，ネッククール外袋（Ａ）からネッククーラー本体（Ｂ）を引き出すと外袋が変形して縮み花模様（Ａ−２）となる。
花模様（Ａ−２）の付いているネッククーラー本体（Ｂ）を首に掛けて外れないようにするためには，一方の先端側と他方の先端側をとめるホック凹部（Ｂ−７）と其の裏側についているホック凹部（Ｂ−８）で行う構造にした。
【符号の説明】
【００１０】
Ａ      ネッククーラーの外袋
Ａ−１  花の中心部引き手
Ａ−２  花模様
Ａ−３  一方の長辺左側面開口部の縫い目
Ａ−４  他方の長辺右側面開口部の縫い目
Ａ−５  梱包用のボタン
Ａ−６  一方の先端（ネッククーラー本体を出し入れする開口部）
Ａ−７  他方の先端
Ｂ      ネッククーラーの本体
Ｂ−１  一方の長辺（保冷剤を出し入れする入り口）
Ｂ−２  他方の長辺
Ｂ−３  保冷剤
Ｂ−４  保冷剤を押さえるホック
Ｂ−５  他方の先端
Ｂ−６  一方の先端
Ｂ−７  一方の先端側と他方の先端側をとめるホック（凹部）
Ｂ−８  一方の先端側と他方の先端側をとめるホック（凸部）
【図１】
2015016157.tif 000003
【図２】
2015016157.tif 000004
【図３】
2015016157.tif 000005
【図４】
2015016157.tif 000006
【図５】
2015016157.tif 000007
【図６】
2015016157.tif 000008
【図７】
2015016157.tif 000009